(57)【要約】【課題】製造コストの上昇を抑制しつつ、大きな風切音が発生するといった不具合を適切に防止することが可能な自動車のフードへのガーニッシュ取付け構造を提供する。【解決手段】前部に先下がり状の垂下部１０が設けられているフード１と、垂下部１０の前面部に取り付けられるガーニッシュ２と、を備えている、自動車のフードへのガーニッシュ取付け構造Ａであって、ガーニッシュ２の下部には、この下部から車両後方側に突出し、かつフード１の垂下部１０の下方に位置して垂下部１０の下端縁部１０ａを覆う下部突出片部２１が設けられている。【選択図】  図２
2015196432.tif 000002
【特許請求の範囲】
【請求項１】
前部に先下がり状の垂下部が設けられているフードと、
前記垂下部の前面部に取り付けられるガーニッシュと、
を備えている、自動車のフードへのガーニッシュ取付け構造であって、
前記ガーニッシュの下部には、この下部から車両後方側に突出し、かつ前記フードの垂下部の下方に位置して前記垂下部の下端縁部を覆う下部突出片部が設けられていることを特徴とする、自動車のフードへのガーニッシュ取付け構造。
【請求項２】
請求項１に記載の自動車のフードへのガーニッシュ取付け構造であって、
前記ガーニッシュの車幅方向の側端縁部には、この側端縁部から車両後方側に突出し、かつ前記フードの垂下部の車幅方向外方に位置して前記垂下部の車幅方向の側端縁部を覆う側部突出片部が設けられている、自動車のフードへのガーニッシュ取付け構造。
【発明の詳細な説明】
【技術分野】
【０００１】
本発明は、自動車のフードへのガーニッシュ取付け構造に関する。
本発明でいうガーニッシュとは、自動車の装飾のみを目的とするものに限られず、たとえばモールなどと称される部材であっても、自動車の外観、見栄えに影響を及ぼすものであれば、本発明でいうガーニッシュの概念に含まれる。
【背景技術】
【０００２】
自動車のエンジンルームを覆うフードにガーニッシュを取り付け、自動車の見栄えをよくするといったことがよく行なわれる。この場合、一般的には、フードの前部に、車両前方を向いた垂下部を設け、かつその前面部にガーニッシュを取り付けるのが通例である（たとえば、特許文献１を参照）。
【０００３】
しかしながら、前記したような構造によれば、次のように改善すべき余地がある。
【０００４】
第１に、フードの垂下部とガーニッシュとの間に、下部開口状の隙間が生じていると、車両走行時において前記隙間の直下を走行風が通過する際に、ベンチュリ効果によって前記隙間内の空気が外部に強制的に流出する作用が生じる。このことにより、大きな風切音が発生する。また、走行風が前記した隙間の形成箇所に直接当たることによっても大きな風切音が発生し易い。このようなことを防止する手段としては、たとえばゴムプロテクタを用いて前記隙間を塞ぐことが考えられるが、このような手段を採用したのでは、製造コストが高価となる。
第２に、フードが樹脂製の場合においては、垂下部の下端縁部にパーティングラインが丁度位置し、フードを開閉する際にユーザの手が前記パーティングラインに触れる虞がある。このため、パーティングライン部分のバリ取りなどの後処理を丁寧に行なっておく必要がある。これでは、製造コストがより高価となる。
第３に、フードを開けた際には、ガーニッシュとフードの垂下部とのそれぞれの下端縁部の合わせ部分が、ユーザに見えることとなる。したがって、かかる部分の仕上げ状態が悪い場合には、自動車の見栄えが悪化する不具合もある。
【先行技術文献】
【特許文献】
【０００５】
【特許文献１】特許第５２２２２４５号公報
【発明の概要】
【発明が解決しようとする課題】
【０００６】
本発明は、前記したような事情のもとで考え出されたものであり、製造コストの上昇を抑制しつつ、大きな風切音が発生するといった不具合を適切に防止することが可能な自動車のフードへのガーニッシュ取付け構造を提供することを、その課題としている。
【課題を解決するための手段】
【０００７】
上記の課題を解決するため、本発明では、次の技術的手段を講じている。
【０００８】
本発明により提供される自動車のフードへのガーニッシュ取付け構造は、前部に先下がり状の垂下部が設けられているフードと、前記垂下部の前面部に取り付けられるガーニッシュと、を備えている、自動車のフードへのガーニッシュ取付け構造であって、前記ガーニッシュの下部には、この下部から車両後方側に突出し、かつ前記フードの垂下部の下方に位置して前記垂下部の下端縁部を覆う下部突出片部が設けられていることを特徴として
いる。
【０００９】
このような構成によれば、次のような効果が得られる。
第１に、ガーニッシュとフードの垂下部との間に、仮に、下部開口状の隙間が生じていたとしても、この隙間の形成箇所に走行風が直接当たることや、その隙間の下方間近を走行風が直接通過するようなことは、ガーニッシュの下部突出片部によって適切に防止される。その結果、風切音を小さくし、車両走行時の静寂性を高めることが可能となる。また、風切音を防止するための手段として、たとえばゴムプロテクタなどの別部材を用いて前記した隙間を塞ぐ必要もなくなるため、製造コストの上昇を抑制することができる。
第２に、フードを樹脂製とし、垂下部の下端縁部にパーティングラインが丁度位置するような場合であっても、この部分は、ガーニッシュの下部突出片部によって覆われる。したがって、フードを開閉する際に、ユーザの手がパーティングラインに触れる虞も好適に防止される。一方、このことにより、パーティングライン部分のバリ取りなどの後処理を行なう必要がなくなり、製造コストの低減を図ることができる。
第３に、フードの垂下部の下端縁部とガーニッシュとの合わせ部分は、フードを開けた際においてもガーニッシュの下部突出片部によって覆われた状態にあり、ユーザには直接見えない、または見え難い。したがって、前記の合わせ部分が見えることによる自動車の見栄えが悪化することも好適に防止することができる。
【００１０】
本発明において、好ましくは、前記ガーニッシュの車幅方向の側端縁部には、この側端縁部から車両後方側に突出し、かつ前記フードの垂下部の車幅方向外方に位置して前記垂下部の車幅方向の側端縁部を覆う側部突出片部が設けられている。
【００１１】
このような構成によれば、フードの垂下部の車幅方向の側端縁部とガーニッシュとの間に、側方開口状の隙間が生じていたとしても、この隙間は、側部突出片部によって覆われることとなる。したがって、前記した隙間の形成箇所に走行風が直接当たることや、その隙間の側方間近を走行風が直接通過するようとは防止される。したがって、風切音を軽減する上で、より好ましい効果が得られる。また、フードを開けた際に、前記した隙間が見えることも防止され、見栄えを一層よくすることもできる。
【００１２】
本発明のその他の特徴および利点は、添付図面を参照して以下に行なう発明の実施の形態の説明から、より明らかになるであろう。
【図面の簡単な説明】
【００１３】
【図１】（ａ）は、本発明に係る自動車のフードへのガーニッシュ取付け構造が適用された自動車の外観の一例を示す要部斜視図であり、（ｂ）は、その要部分解概略斜視図である。
【図２】図１のII-II断面図である。
【図３】図１のIII−III断面図である。
【発明を実施するための形態】
【００１４】
以下、本発明の好ましい実施の形態について、図面を参照して具体的に説明する。
図面において、矢印Ｆｒは車両前方を示し、矢印Ｕｐは上方を示し、矢印Ｗは車幅方向を示している。
【００１５】
図１に示すように、本実施形態の自動車のフードへのガーニッシュ取付け構造Ａは、自動車９の前部のエンジンルーム９０を覆うフード１、およびこのフード１に取り付けられたガーニッシュ２を備えている。フード１およびガーニッシュ２は、いずれも樹脂製であり、フード１は、図２および図３に示すように、フードアウタ１ａ（フードアウタパネル）とフードインナ１ｂ（フードインナパネル）とを組み合わせて構成されている。フード
１の前部は、下向き屈曲状の形態とされ、先下がり状の垂下部１０とされている。
【００１６】
ガーニッシュ２は、ガーニッシュアウタ２ａとガーニッシュインナ２ｂとを組み合わせて構成されている。ガーニッシュアウタ２ａは、自動車の見栄えをよくし得るデザインに形成されたものであり、ガーニッシュインナ２ｂは、ガーニッシュアウタ２ａを保持し、全体の外観体裁を損なわないようにフード１に取り付けるための枠体としての役割を果たす。図面では省略しているが、ガーニッシュアウタ２ａおよびガーニッシュインナ２ｂは、小径のネジ体やクリップなどを用いて互いに組み付けられ、かつフード１の垂下部１０の前面部に取り付けられている。
【００１７】
図２に示すように、ガーニッシュアウタ２ａの下部２０には、この下部２０から車両後方側に略水平状に突出し、かつ車幅方向に延びた下部突出片部２１が一体成形されている。この下部突出片部２１は、ガーニッシュインナ２ｂの下端縁部、およびフード１の垂下部１０の下端縁部１０ａ（フードアウタ１ａおよびフードインナ１ｂのそれぞれの下端縁部）のそれぞれの下方に位置して、これらの部分を覆っている。垂下部１０の下方には、フロントバンパ３が位置しており、これらフロントバンパ３とフード１との間には、走行風が進入する隙間４が設けられている。この隙間４に進入した走行風は、エンジンの搭載箇所に導かれる。好ましくは、下部突出片部２１の先端部近傍（車両後方側の部分）の下面２１ａは、車両後方側ほど高さが高くなるように傾斜した傾斜面とされ、下部突出片部２１の先端部近傍は、車両後方側ほど厚みが漸減する先細状とされている。
【００１８】
図３に示すように、ガーニッシュインナ２ｂの車幅方向の端部２３には、この端部２３から車両後方側に突出し、かつ上下高さ方向に延びた側部突出片部２２が一体成形されている。この側部突出片部２２は、フード１の垂下部１０の側端縁部１０ｂ（フードアウタ１ａおよびフードインナ１ｂのそれぞれの側端縁部）の車幅方向外方に位置して、これらの部分を覆っている。ガーニッシュインナ２ｂの端部２３には、車両前方側に突出する部分２４も設けられているが、これはガーニッシュアウタ２ａとの嵌合を図るための部分である。フード１の垂下部１０の車幅方向外方には、ヘッドランプ８が配設されている。このヘッドランプ８とフード１との干渉を回避すべく、これらの間には適当な幅の隙間５があり、この部分にも走行風が進入する。図３においては、垂下部１０の車幅方向一端縁側の構成が示されているが、他端縁側についても、前記したのと同様な構成とされている。
【００１９】
次に、前記したガーニッシュ取付け構造Ａの作用について説明する。
【００２０】
まず、図２において、車両走行時に走行風が隙間４に進入した場合、この走行風は下部突出片部２１の下側を円滑に流れることとなる。走行風が、垂下部１０の下端縁部１０ａに直接当たることや、垂下部１０とガーニッシュインナ２ｂとの間に位置する下部開口状の隙間Ｃ１の形成箇所に直接当たることは適切に防止され、風切音が軽減する。隙間Ｃ１の直下間近を走行風が通過することも回避されるために、ベンチュリ効果によって隙間Ｃ１内の空気が下方へ強制的に流出して風切音が発生する現象も適切に抑制される。下部突出片部２１と垂下部１０の下端縁部１０ａとの間には、隙間Ｃ１’が形成されているが、この隙間Ｃ１’は車両後方を向いて開口しているおり、ベンチュリ効果はかなり弱く、大きな風切音の原因にはならない。したがって、風切音を軽減し、車両走行時の静寂性を高めることが可能となる。隙間Ｃ１を、ゴムプロテクタなどを用いて塞ぐ必要もなくなる。
【００２１】
フード１は樹脂製であり、金型を用いた樹脂成形に起因するパーティングラインが垂下部１０の下端縁部１０ａに形成される場合が殆どである。これに対し、垂下部１０の下端縁部１０ａは、下部突出片部２１によって覆われているために、自動車ユーザなどがフード１を開ける際に、ユーザの手が下端縁部１０ａのパーティングラインに直接触れないようにすることができる。その結果、パーティングラインのバリ取りなどの後処理を丁寧に
行なう必要はなくなる。また、フード１を開けた際においても、垂下部１０の下端縁部１０ａや隙間Ｃ１は、下部突出片部２１によって覆い隠された状態となり、外部から不体裁に見えないようにすることができる。したがって、自動車の見栄えをより良くすることも可能である。
【００２２】
一方、図３に示したように、車両走行時に走行風が隙間５に進入した場合、この走行風は側部突出片部２２の側方を円滑に流れる。走行風が、フード１の垂下部１０の側端縁部１０ｂに直接当たることや、この側端縁部１０ｂとガーニッシュインナ２ｂとの合わせ部分に直接当たるようなことは適切に防止される。垂下部１０の側端縁部１０ｂとガーニッシュインナ２ｂの本体部分との間に、仮に隙間Ｃ２が形成されていたとしても（ただし、同図では隙間Ｃ２が実質的にない状態に示されている）、この隙間Ｃ２の形成箇所に走行風が直接当たることはやはり抑制される。側端縁部１０ｂと側部突出片部２２との間には、隙間Ｃ２’が形成されているが、この隙間Ｃ２’は、先に述べた隙間Ｃ１’と同様に車両後方を向いて開口しているため、大きな風切音の発生要因にはならない。したがって、隙間５に走行風が進入することに起因する風切音も好適に軽減されることとなり、車両走行時の静寂性をよくする上で、一層好ましいものとなる。さらに、フード１を開けた際に、隙間Ｃ２やその周辺部などが外部から不体裁な状態に見えないようにすることもできる。
【００２３】
本発明は、上述した実施形態の内容に限定されない。本発明に係る自動車のフードへのガーニッシュ取付け構造の各部の具体的な構成は、本発明の意図する範囲内において種々に設計変更自在である。
【００２４】
ガーニッシュは、必ずしもインナ部材とアウタ部材とを組み合わせて構成されていなくてもよい。フードとしては、樹脂製以外の材質とすることも可能である。風切音をさらに低減するための手段として、たとえば下部突出片部の下面に整流用（乱流防止用）のリブを追加して設けるといった手段を採用することもできる。
【符号の説明】
【００２５】
Ａ  自動車のフードへのガーニッシュ取付け構造
Ｃ１，Ｃ２  隙間
Ｃ１’，Ｃ２’  隙間
１  フード
１０  垂下部
１０ａ  下端縁部
１０ｂ  側端縁部
２  ガーニッシュ
２１  下部突出片部
２２  側部突出片部
【図１】
2015196432.tif 000003
【図２】
2015196432.tif 000004
【図３】
2015196432.tif 000005